(57)【要約】【課題】下部側に設けられた回動軸を中心に回動する縦開きの外装開閉カバーの強度の向上を図りつつ、画像形成装置における外装開閉カバーを設けた面から音が漏れ出ることを抑制することができる画像形成装置を提供する。【解決手段】ヘルムホルツ共鳴器を用いた吸音装置６００と、装置本体に対して開閉自在な外装開閉カバーである前面開閉カバー１０１と、を有する複写機５００において、前面開閉カバー１０１は、その下部側に設けられた回動軸を中心に回動する開閉カバーであり、少なくともその一部が複数枚の板状部材である前面開閉カバー１０１と開閉カバー内壁部材１０１０とを重ねた多重構造であり、この多重構造を構成する前面開閉カバー１０１と開閉カバー内壁部材１０１０との間の空間をヘルムホルツ共鳴器の空洞部として吸音装置６００を形成する。【選択図】図１
2016033646.tif 000002
【特許請求の範囲】
【請求項１】
ヘルムホルツ共鳴器を用いた吸音装置と、
装置本体に対して開閉自在な外装開閉カバーと、を有する画像形成装置において、
上記外装開閉カバーは、その下部側に設けられた回動軸を中心に回動する開閉カバーであり、少なくともその一部が複数枚の板状部材を重ねた多重構造であり、
この多重構造を構成する二枚の板状部材の間の空間を上記ヘルムホルツ共鳴器の空洞部として上記吸音装置を形成することを特徴とする画像形成装置。
【請求項２】
請求項１に記載の画像形成装置において、
上記多重構造を構成する二枚の板状部材のうち、外側の板状部材に該空洞部の側面を形成する壁部を設けたことを特徴とする画像形成装置。
【請求項３】
請求項１に記載の画像形成装置において、
上記多重構造を構成する二枚の板状部材のうち、内側の板状部材に該空洞部の側面を形成する壁部を設けたことを特徴とする画像形成装置。
【請求項４】
請求項１乃至３の何れかに記載の画像形成装置において、
装置本体に対する上記吸音装置の位置決めを行なう位置決め手段を備えることを特徴とする画像形成装置。
【請求項５】
請求項１乃至４の何れかに記載の画像形成装置において、
上記外装開閉カバーを開放した状態で装置本体に対して着脱する着脱部品を備え、
着脱動作の際に該着脱部品が通過する空間を避けるように、上記多重構造を構成する二枚の板状部材のうちの内側の板状部材に、外側の板状部材との距離を狭めた退避部を設けたことを特徴とする画像形成装置。
【請求項６】
請求項５の画像形成装置において、
上記多重構造を構成する二枚の板状部材のうちの内側の板状部材に、上記退避部に対して段差を形成し、上記着脱部品の側面を沿わせることで該着脱部品の抜き差し方向を案内する案内部を設けたことを特徴とする画像形成装置。
【請求項７】
請求項５または６の何れかに記載の画像形成装置において、
上記退避部の上面に突起部を設け、上記着脱部品の下面に該突起部と係合し、該突起部に対する該着脱部品の移動方向を規制する案内溝を設けたことを特徴とする画像形成装置。
【請求項８】
請求項５または６の何れかに記載の画像形成装置において、
上記着脱部品の下面に突起部を設け、上記退避部の上面に該突起部と係合し、装置本体に対する該着脱部品の移動方向を規制する案内溝を設けたことを特徴とする画像形成装置。
【請求項９】
請求項１乃至８の何れかに記載の画像形成装置において、
上記外装開閉カバーの開放角度が９０［°］よりも大きく、
上記多重構造を構成する複数枚の板状部材のうち、最も外側にある外側板状部材と最も内側にある内側板状部材との距離が該外装開閉カバーにおける上記回動軸側ほど狭くなるように、該内側板状部材が該外側板状部材に対して傾斜していることを特徴とする画像形成装置。
【請求項１０】
請求項１乃至８の何れかに記載の画像形成装置において、
上記外装開閉カバーの開放角度が９０［°］よりも小さく、
上記多重構造を構成する複数枚の板状部材のうち、最も外側にある外側板状部材と最も内側にある内側板状部材との距離が該外装開閉カバーにおける上記回動軸側ほど広くなるように、該内側板状部材が該外側板状部材に対して傾斜していることを特徴とする画像形成装置。
【発明の詳細な説明】
【技術分野】
【０００１】
本発明は、ヘルムホルツ共鳴器を用いた吸音装置を有する画像形成装置に関するものである。
【背景技術】
【０００２】
電子写真方式の画像形成装置では、画像形成時に各種駆動部の駆動音やポリゴンミラーが回転するときの音などが発生する。画像形成時に発生する音を吸音することが可能な構成として、特許文献１及び２には、ヘルムホルツ共鳴器を用いた吸音装置を有する画像形成装置が記載されている。
ヘルムホルツ共鳴器は、ある程度の容積を持った空洞部と、この空洞部と外部とを連通する連通部とによって形成される。そして、空洞部の体積を「Ｖ」、連通部の開口面積を「Ｓ」、連通部の連通方向の長さを「Ｈ」とし、音速を「ｃ」とすると、ヘルムホルツ共鳴器を用いた吸音装置によって吸音される音の周波数「ｆ」は、以下の（１）式によって求められる。
【数１】
2016033646.tif 000003
（Δｒ：開口端補正）
【発明の概要】
【発明が解決しようとする課題】
【０００３】
画像形成装置では、トナーボトルやプロセスカートリッジ等の消耗品を使用者が交換するときに交換対象の消耗品を露出させるように、装置本体に対して開閉自在な外装開閉カバーを備えるものがある。このような外装開閉カバーは、画像形成装置の側面のうち、画像形成装置の操作部を操作する使用者と向かい合う側面に設けられていることが多い。そして、使用者と向かい合う側面から装置内部の音が漏れ出ると、使用者に不快感を与える騒音となり易い。
【０００４】
また、画像形成装置の外装開閉カバーとしては、特許文献１には二枚の扉が左右に開く観音開きタイプの開閉カバーが記載されている。しかし、近年の画像形成装置では、外装開閉カバーとして、閉鎖状態から下部側に設けられた回動軸を中心に手前側に倒れるように回転することで開放状態となる縦開きの開閉カバーが多く用いられている。このような縦開きの外装開閉カバーは、開放作業中に作業者が外装開閉カバーから手を離してもその自重によって開放状態になるように回転することができる。しかし、自重によって回転した後、開放状態となる位置で急に停止するため、外装開閉カバーに衝撃が加わり、破損するおそれがある。このため、特許文献１に記載のような観音開き型の開閉カバーよりも外装開閉カバーの強度が求められる。
【０００５】
本発明は以上の問題点に鑑みなされたものであり、その目的は、以下の通りである。すなわち、下部側に設けられた回動軸を中心に回転する縦開きの外装開閉カバーの強度の向上を図りつつ、画像形成装置における外装開閉カバーを設けた面から音が漏れ出ることを抑制することができる画像形成装置を提供することである。
【課題を解決するための手段】
【０００６】
上記目的を達成するために、請求項１の発明は、ヘルムホルツ共鳴器を用いた吸音装置と、装置本体に対して開閉自在な外装開閉カバーと、を有する画像形成装置において、上記外装開閉カバーは、閉鎖状態から下端部側に設けられた回動軸を中心に手前側に倒れるように回転することで開放状態となる縦開きの開閉カバーであり、少なくともその一部が複数枚の板状部材を重ねた多重構造であり、この多重構造を構成する二枚の板状部材の間の空間を上記ヘルムホルツ共鳴器の空洞部として、上記吸音装置を形成することを特徴とするものである。
【発明の効果】
【０００７】
本発明によれば、下部側に設けられた回動軸を中心に回転する縦開きの外装開閉カバーの強度の向上を図りつつ、画像形成装置における外装開閉カバーを設けた面から音が漏れ出ることを抑制することができるという優れた効果がある。
【図面の簡単な説明】
【０００８】
【図１】実施例１の複写機の前面開閉カバーを開放した状態の斜視説明図。
【図２】本発明の一実施形態に係る複写機の概略構成図。
【図３】同複写機における感光体近傍の概略構成図。
【図４】同複写機の斜視説明図。
【図５】同複写機の前面開閉カバーを開放した状態の斜視説明図。
【図６】ヘルムホルツ共鳴器を用いた吸音装置の模式図。
【図７】実施例１の複写機の前面開閉カバーの断面説明図。
【図８】実施例１の複写機の位置決めピンと位置決め穴との近傍の拡大斜視図。
【図９】リブを開閉カバー内壁部材側に設けた前面開閉カバーの断面説明図。
【図１０】実施例２の複写機の前面開閉カバーを開放した状態の前面開閉カバー近傍の拡大斜視説明図。
【図１１】図１０に示す前面開閉カバーから開閉カバー内壁部材を取り外した状態の斜視説明図。
【図１２】図１１に示す前面開閉カバーの空洞部形成リブが設けられた部分の拡大斜視図。
【図１３】図１０に示す状態から廃トナーボトルを引き出した状態の複写機の斜視説明図。
【図１４】図１３に示す状態を複写機の左側から見た側方断面図。
【図１５】実施例２の前面開閉カバーにおける開閉カバー内壁部材を設けた位置の拡大斜視図。
【図１６】退避部の上面に廃トナーボトルを案内する形状を設けた一例の概略断面図。
【図１７】退避部の上面に廃トナーボトルを案内する形状を設けた他の例の概略断面図。
【図１８】開放角度が異なる二種類の複写機を模式的に示した側面図、（ａ）は開放角度が９０［°］よりも大きい場合の説明図、（ｂ）は開放角度が９０［°］よりも小さい場合の説明図。
【発明を実施するための形態】
【０００９】
以下、本発明を適用した画像形成装置として、電子写真方式の複写機（以下、単に「複写機５００」という。）の一実施形態について説明する。本実施形態では、複写機５００として、モノクロ画像形成装置を例に挙げて説明するが、本発明は、公知のカラー画像形成装置についても同様に適用することができる。
【００１０】
まず、複写機５００の構成について説明する。
図２は、本実施形態に係る複写機５００全体の概略構成図である。図２において、複写機５００の複写機本体１００の上に画像読取装置２００が取り付けられ、複写機本体１００は記録紙バンク３００上に載置されている。画像読取装置２００の上には、背面側（図中紙面奥側）を支点にして回動自在に構成された自動原稿搬送装置４００が取り付けられている。
【００１１】
複写機本体１００の内部には、潜像担持体としてドラム状の感光体１０が設けられている。図３は、感光体１０の近傍を拡大した概略構成図である。感光体１０の周りには図３に示すように、除電ランプ９、帯電ローラを用いた帯電装置１１、現像装置１２、転写ユニット１３、感光体クリーニングブレード８を有したクリーニング装置１４が配置されている。現像装置１２は、トナーとして、重合法により製造した重合トナーを用い、その重合トナーを現像剤担持体としての現像ローラ１２１を用いて感光体１０上の静電潜像に付着させて、これを可視像化する。
【００１２】
転写ユニット１３は、第一ベルト張架ローラ１５及び第二ベルト張架ローラ１６との二つのローラ部材に掛け回された転写ベルト１７を備えており、この転写ベルト１７は、転写位置Ｂで感光体１０の周面に押し当てられている。
【００１３】
記録紙Ｐが分離した後の転写ベルト１７上に残った残留トナーや紙粉等の異物は、転写ベルトクリーニング部Ｃに設けられ、転写ベルト１７を介して第一ベルト張架ローラ１５に当接するクリーニングブレード１８によって掻き落とされる。
【００１４】
また、複写機本体１００には、帯電装置１１及びクリーニング装置１４の図中左側に、現像装置１２に新しいトナーを補給するトナー補給装置２０が設けられている。
【００１５】
さらに複写機本体１００には、記録紙バンク３００の記録紙カセット６１から送り出された記録紙Ｐを、転写位置Ｂを経て排出スタック部３９まで搬送する記録紙搬送装置６０が設けられている。この記録紙搬送装置６０は、供給路Ｒ１または手差し供給路Ｒ２、及び、記録紙搬送路Ｒに沿って、記録紙Ｐを搬送する。記録紙搬送路Ｒ上には、転写位置Ｂに対して記録紙搬送方向の上流側にレジストローラ対２１が設けられている。
【００１６】
一方、転写位置Ｂに対して記録紙搬送路Ｒの記録紙搬送方向下流側には、熱定着装置２２が設けられている。この熱定着装置２２には、加熱部材である加熱ローラ３０と加圧部材である加圧ローラ３２との間に記録紙Ｐを挟み込んで加熱加圧定着を行う。
【００１７】
熱定着装置２２の更に記録紙搬送方向下流側には、排出分岐爪３４、排出ローラ３５、第一加圧ローラ３６、第二加圧ローラ３７及びコシ付ローラ３８が設けられている。また、熱定着装置２２を経た画像形成済みの記録紙Ｐをスタックする排出スタック部３９も設けてられている。
【００１８】
また、複写機本体１００には、図中右側に、スイッチバック装置４２が設けられている。このスイッチバック装置４２は、記録紙搬送路Ｒの排出分岐爪３４が配置された位置から分岐した反転路Ｒ３と、この反転路Ｒ３を通ってきた記録紙Ｐを再び記録紙搬送路Ｒのレジストローラ対２１の位置まで導く再搬送路Ｒ４とに沿って記録紙Ｐを搬送する。反転路Ｒ３にはスイッチバックローラ対４３が設けられており、再搬送路Ｒ４には、複数の記録紙搬送ローラ対６６が設けられている。
【００１９】
図２に示すように、複写機本体１００には、現像装置１２の図中左側に、レーザー書込装置４７が設けられている。このレーザー書込装置４７は、レーザー光源、走査用の回転多面鏡であるポリゴンミラー４８、ポリゴンモータ４９、及び、ｆθレンズ等の走査光学系を備えている。
【００２０】
また、画像読取装置２００は、光源５３、複数のミラー５４、結像用光学レンズ５５及びＣＣＤイメージセンサなどのイメージセンサ５６等を備えており、その上面にはコンタクトガラス５７が設けられている。
また、自動原稿搬送装置４００には、原稿セット台が設けられており、原稿の排出位置には、原稿スタック台が設けられている。自動原稿搬送装置４００は、複数の原稿搬送ローラを備えており、この原稿搬送ローラによって、原稿は、原稿セット台から画像読取装置２００のコンタクトガラス５７上の読取位置を経て原稿スタック台まで搬送される。
【００２１】
記録紙バンク３００には、内部に、記録材である紙やＯＨＰフィルム等の記録紙Ｐを収納する記録紙カセット６１が複数重ねて設けられている。各記録紙カセット６１には、それぞれ呼出ローラ６２、供給ローラ６３、分離ローラ６４が設けられている。記録紙カセット６１の図中右側には、複写機本体１００の記録紙搬送路Ｒへと通じる上述した供給路Ｒ１が形成されている。この供給路Ｒ１にも、記録紙Ｐを搬送するいくつかの記録紙搬送ローラ対６６が設けられている。
【００２２】
複写機本体１００には、図２中の右側に、手差し給紙部６８が設けられている。この手差し給紙部６８には、手差しトレイ６７が開閉自在に設けられており、その手差しトレイ６７上にセットした記録紙Ｐを記録紙搬送路Ｒへと導く上述した手差し供給路Ｒ２が形成されている。この手差し給紙部６８にも、記録紙カセット６１と同様に、呼出ローラ６２、供給ローラ６３及び分離ローラ６４が設けられている。
【００２３】
次に、複写機５００の動作について説明する。
複写機５００を用いてコピーをとるとき、まず、メインスイッチを「オン」にするとともに、自動原稿搬送装置４００の原稿セット台に原稿をセットする。ブック原稿のような場合には、自動原稿搬送装置４００を開いて画像読取装置２００のコンタクトガラス５７上に直接原稿をセットし、自動原稿搬送装置４００を閉じてそれで押える。
【００２４】
その後、スタートスイッチを押すと、自動原稿搬送装置４００に原稿をセットしたときは、その原稿を原稿搬送ローラにより原稿搬送路を通してコンタクトガラス５７上へと移動させてから画像読取装置２００を駆動する。そして、原稿内容を読み取って原稿スタック台上に排出する。
一方、コンタクトガラス５７上に直接原稿をセットしたときは、直ちに画像読取装置２００を駆動して原稿内容を読み取る。
原稿内容を読み取る際、画像読取装置２００は、光源５３をコンタクトガラス５７に沿って移動させながら、その光源５３からの光をコンタクトガラス５７上の原稿面に照射する。そして、その反射光を複数のミラー５４で結像用光学レンズ５５まで案内してイメージセンサ５６に入れ、そのイメージセンサ５６で原稿内容を読み取る。
【００２５】
複写機５００では、原稿内容の読み取りと同時に、感光体駆動モータによって感光体１０を回転させる。そして、まず、帯電装置１１により感光体１０の表面を例えば−１０００［Ｖ］前後に一様に帯電する。次いで上述の画像読取装置２００で読み取った原稿内容に応じてレーザー書込装置４７から感光体１０にレーザー光を照射してレーザー書込みを行い、感光体１０の表面に静電潜像を形成する。レーザー光が照射された部分（潜像部）の表面電位は例えば０［Ｖ］〜−２００［Ｖ］となる。その後、その静電潜像に現像装置１２でトナーを付着させてこれを可視像化する。
【００２６】
複写機５００では、スタートスイッチを押したと同時に、記録紙バンク３００が備える複数の記録紙カセット６１のうち選択サイズに対応するものから、呼出ローラ６２により記録紙Ｐを送り出す。そして、送り出された記録紙Ｐを供給ローラ６３及び分離ローラ６４で一枚ずつ分離して、その一枚を供給路Ｒ１へ案内し、記録紙搬送ローラ対６６で記録紙搬送路Ｒへと導く。記録紙搬送路Ｒへ搬送された記録紙Ｐは、レジストローラ対２１に突き当たって止められる。
【００２７】
手差し給紙部６８を使う場合、手差しトレイ６７を開けてこれに記録紙Ｐをセットする。この場合も、手差しトレイ６７上にセットされた記録紙Ｐは、呼出ローラ６２、供給ローラ６３及び分離ローラ６４によって一枚だけ手差し供給路Ｒ２へ搬送され、記録紙搬送ローラ対６６で記録紙搬送路Ｒへと導かれる。記録紙搬送路Ｒに導かれた記録紙Ｐは、レジストローラ対２１に突き当たって止められる。
このようにして、レジストローラ対２１に止められた記録紙Ｐは、上述した感光体１０上の可視像化したトナー像の先端が、転写位置Ｂへ進入するタイミングに合わせて回転を開始するレジストローラ対２１によって、転写位置Ｂへ送り込まれる。
【００２８】
転写位置Ｂへと送り込まれた記録紙Ｐは、転写ユニット１３により感光体１０上のトナー像が転写され、その表面にトナー像を担持する。転写後の感光体１０は、その表面に残留した残留トナーがクリーニング装置１４で除去され、除電ランプ９により感光体１０上の残留電位も除去される。残留電位が除去されることで、表面電位が０［Ｖ］〜−１５０［Ｖ］の基準電位に平均化され、帯電装置１１からはじまる次の画像形成に備える。
【００２９】
一方、トナー像を担持した記録紙Ｐは、転写ベルト１７により搬送されて熱定着装置２２に入る。そして、加熱ローラ３０と加圧ローラ３２との間を搬送されながら熱と圧力とが加えられて、記録紙Ｐ上のトナー像が定着する。その後、記録紙Ｐは、排出ローラ３５、第一加圧ローラ３６、第二加圧ローラ３７及びコシ付ローラ３８により、コシを付けられ、排出スタック部３９上に排出され、そこにスタックされる。
【００３０】
記録紙Ｐの両面に画像を形成する場合には、排出分岐爪３４を切り替え、記録紙Ｐの片面にトナー像を転写して定着した後、この記録紙Ｐを記録紙搬送路Ｒから反転路Ｒ３に入れる。反転路Ｒ３に入れた記録紙Ｐは、記録紙搬送ローラ対６６で搬送してスイッチバック位置４４へ入れた後、スイッチバックローラ対４３でスイッチバックし、今度は再搬送路Ｒ４に入れ、記録紙搬送ローラ対６６で再び記録紙搬送路Ｒに導く。そして、再搬送路Ｒ４を通過した記録紙Ｐの反対面にも上述と同様にしてトナー像を転写する。
【００３１】
図４は、自動原稿搬送装置４００を取り外した状態の複写機５００の斜視説明図であり、図５は、複写機５００の前面開閉カバー１０１を開放した状態の斜視説明図である。図５は、自動原稿搬送装置４００と画像読取装置２００の内部の光学系とは取り外した状態である。複写機５００には、外装カバーの一部である前面開閉カバー１０１が開閉可能に設けられており、トナーボトルの交換やメンテナンスの際に開放される。
【００３２】
また、前面開閉カバー１０１を開放することで、内装カバーである前面インナーカバー１０２が露出している。さらに、図５は、トナー補給装置２０が備えるトナーボトルが抜かれた状態であり、前面インナーカバー１０２におけるトナーボトルが挿入される部分であるボトルセット穴２０ａが開口した状態となっている。また、複写機５００における前面開閉カバー１０１の下方には記録紙カセット６１を引き出すための取っ手部を備えた記録紙カセット外装カバー６１ａが配置されている。
【００３３】
画像形成装置等の電子機器には、駆動時に発生する音が周囲の人間に不快感を与える騒音となることがある。このような電子機器の騒音対策として特定の周波数の音を吸音するヘルムホルツ共鳴器を用いるものが知られている。
本実施形態の複写機５００は、ヘルムホルツ共鳴器を用いた吸音装置６００を前面開閉カバー１０１に備えている。
【００３４】
図６は、ヘルムホルツ共鳴器を用いた吸音装置６００の模式図である。
図６に示すように、ヘルムホルツ共鳴器は、入り口が狭まった容器のような形状であり、ある程度の体積を有する空洞部６０１と、それよりも小さい連通部６０３とによって構成され、連通部６０３に入ってくる特定の周波数の音を吸音する。
空洞部６０１の体積を「Ｖ」、連通部６０３における開口部６０２の開口面積を「Ｓ」、連通部６０３の長さを「Ｈ」、音速を「ｃ」とし、吸音装置６００での吸音周波数を「ｆ」とすると、以下の（１）式が成り立つ。
【００３５】
【数２】
2016033646.tif 000004
【００３６】
（１）式における「Δｒ」は開口端補正であり、一般に連通部６０３の断面が円形のときの半径を「ｒ」としたときに、「Δｒ＝０．６ｒ」を用いる。
（１）式に示すように、吸音装置６００によって吸音する音の周波数は、空洞部６０１の体積Ｖ、連通部６０３の長さＨ及び連通部６０３の開口面積Ｓによって求めることができる。
【００３７】
複写機５００では、各種ローラに回転駆動を伝達する駆動モータの駆動音や、各種ローラ等の移動部材の移動音、レーザー書込装置４７のポリゴンミラー４８の回転音等の様々な音が発生する。このような音が複写機５００の外部に伝達し、周辺の人に不快感を与える騒音となることがある。このような騒音となり得る音のうち外部への伝達を抑制したい音の周波数に合わせて吸音装置６００を形成することで、騒音となり得る音を吸音装置６００で吸音することができる。
【００３８】
〔実施例１〕
次に、本発明を適用した複写機５００の一つ目の実施例（以下、「実施例１」とよぶ）について説明する。
図１は、実施例１の複写機５００の前面開閉カバー１０１を開放した状態の斜視説明図であり、図７は、実施例１の複写機５００の前面開閉カバー１０１の断面説明図である。
【００３９】
図１及び図７に示すように、前面開閉カバー１０１は、その内側の面に連通部６０３が形成された開閉カバー内壁部材１０１０を組み付けた構造となっている。そして、前面開閉カバー１０１と開閉カバー内壁部材１０１０との二つの部材の間に複数の空洞部６０１を形成し、複数のヘルムホルツ共鳴器６７０を備える吸音装置６００を形成している。図７に示すように、実施例１の吸音装置６００は、前面開閉カバー１０１に形成されたリブ６１１の先端に板状の開閉カバー内壁部材１０１０の平面部分を突き当てる。これにより、前面開閉カバー１０１及び開閉カバー内壁部材１０１０の平面部分と、リブ６１１の側面とに囲まれた空洞部６０１が形成される。
【００４０】
図７に示すように、実施例１の吸音装置６００は、開閉カバー内壁部材１０１０の連通部６０３に吸音キャップ部材６３０が設けられている。そして、空洞部６０１の連通部６０３が設けられた壁面を形成する開閉カバー内壁部材１０１０と、連通部６０３の開口面積や長さを決定する吸音キャップ部材６３０とを別部材としている。これにより、形状の異なる吸音キャップ部材６３０と取り替えることで、上記（１）式における連通部６０３の長さＨや連通部６０３の開口面積Ｓの値を容易に変更することができ、安価で簡単に吸音周波数が変更できる。
【００４１】
複写機５００の前面開閉カバー１０１は、その下端部がヒンジによって複写機５００の本体に取り付けられ、手前に倒して開閉する「縦開きタイプ」の開閉カバーである。前面開閉カバー１０１は、図４に示す閉鎖状態から、上記ヒンジの回動軸を中心に手前側に倒れるように回転することで図５等に示す開放状態となる。また、前面開閉カバー１０１の上端部近傍には磁性体８１が固定され、前面開閉カバー１０１を閉鎖したときに、この磁性体８１と対向する複写機５００本体側の位置には磁石８０が設けられている。図４に示すように、前面開閉カバー１０１を閉鎖した状態では、複写機５００本体側の磁石８０が前面開閉カバー１０１の磁性体８１を引き寄せることで複写機５００本体に対する前面開閉カバー１０１の上端部の位置が固定され、閉鎖状態が保たれる。
【００４２】
図４に示すように、前面開閉カバー１０１の側端部には取っ手部１０１３が設けられている。そして、作業者が取っ手部１０１３を持って引き出すことで、前面開閉カバー１０１の磁性体８１が磁石８０から離間し、複写機５００本体に対する前面開閉カバー１０１の上端の固定が解除される。上端の固定が解除された前面開閉カバー１０１は、作業者の引き出し動作、または、自重によって図１中の矢印αに示すようにヒンジを中心に回転し、開放状態となる。
前面開閉カバー１０１は下端部を中心に回転する縦開きタイプの開閉カバーであり、開放動作中に作業者が手を離すと、自重によって図１中の矢印αで示すように回転し、図１で示す開放状態で停止する。自重で回転した場合、前面開閉カバー１０１は開放状態となる位置で急に停止して衝撃が加るため、強度が不足していると破損するおそれがある。
【００４３】
特許文献１には、前面の開閉カバーを観音開きとするものが記載されている。観音開きの開閉カバーでは、開放動作中に作業者が手を離しても開閉カバーの自重によって開放する方向に回転しないため、開放動作の際に開閉カバーに衝撃が加わることはほとんどなく、縦開きタイプの開閉カバーほどの強度を必要としない。しかし、観音開きタイプの開閉カバーでは、カバーを構成する部材が二枚と、この二枚のそれぞれにヒンジが必要となり、部品点数の増加及びコストの上昇に繋がる。
一方、実施例１の前面開閉カバー１０１のように縦開きタイプの開閉カバーであれば、部品点数の増加及びコストの上昇を抑制することができる。
【００４４】
実施例１の複写機５００の前面開閉カバー１０１は、開閉カバー内壁部材１０１０を組み付けた二枚の板状部材からなる二重構造となっている。一枚の板状部材である前面開閉カバー１０１を開閉カバー内壁部材１０１０が補強する構造であるため、前面開閉カバー１０１が一枚の樹脂製の部材のみからなる構成に比べて強度の向上を図ることができる。
これにより、前面開閉カバー１０１を開放するときに衝撃が加わったとしても、その衝撃によって前面開閉カバー１０１が破損することを抑制できる。
【００４５】
吸音装置６００を形成する構造と、前面開閉カバー１０１の強度を向上させる構造とをそれぞれ独立して設けると、部品点数の増加や装置の大型化につながるおそれがある。これに対して、実施例１の複写機５００では、前面開閉カバー１０１を補強する開閉カバー内壁部材１０１０を組み付けた構造で、二つの部材の間に形成される空間を空洞部６０１として吸音装置６００を構成している。すなわち、前面開閉カバー１０１の強度を向上させる構造を用いて吸音装置６００を形成している。これにより、騒音となり得る音を吸音する吸音装置６００を備え、前面開閉カバー１０１の強度の向上を図ることできる構成で、部品点数の増加や装置の大型化を抑制できる。
【００４６】
図８は、図１に示す位置決めピン７１と位置決め穴７２との近傍の拡大斜視図である。図１及び図８に示すように、複写機５００は、装置本体側に位置決めピン７１を備え、開閉カバー内壁部材１０１０に位置決め穴７２を備える。そして、前面開閉カバー１０１を閉めると、位置決め穴７２に位置決めピン７１が差し込まれ、複写機５００本体に対する前面開閉カバー１０１の位置決めを行なう構成となっている。
【００４７】
ヘルムホルツ共鳴器では、一般的に吸音対象となる周波数の音の音源に近いほど、効率的に吸音することができる。また、音の反射等を考慮すると、音源からの距離に限らず、音源に対するヘルムホルツ共鳴器の連通部の位置によって、吸音効果が変化すると考えられる。
このため、音源に対する吸音装置６００の位置をできるだけ吸音効果が高くなる位置に設定することが望ましい。
【００４８】
しかし、前面開閉カバー１０１のように装置本体に対して開閉可能な外装カバーは、ネジ等によって固定される外装カバーに比べて取り付けガタが大きく、駆動時の振動によって複写機５００の装置本体に対する前面開閉カバー１０１の位置の変動が生じ易い。このため、実施例１のように前面開閉カバー１０１に吸音装置６００を設けた構成では、設計上、音源に対する吸音装置６００の位置をできるだけ吸音効果が高くなる位置に設定したとしても振動による位置の変動で、所望の吸音効果が得られなくなるおそれがある。
【００４９】
これに対して、実施例１の複写機５００では図１及び図８に示すように、位置決め穴７２と位置決めピン７１とによって、複写機５００本体に対する前面開閉カバー１０１の位置決めを行なう構成となっている。これにより、固定された外装カバーに比べてガタが大きい開閉可能な外装カバーに吸音装置６００を設けた構成であっても、複写機５００内外の振動によって前面開閉カバー１０１が振動して音源に対する吸音装置６００の位置が変動することを抑制できる。吸音装置６００の位置の変動を抑制することで、音源に対して吸音装置６００を所望の位置で固定することが可能となり、所望の吸音効果を得ることが可能となる。
【００５０】
図７に示すように、実施例１の複写機５００では、リブ６１１が、前面開閉カバー１０１の内側の平面部分に設けられ、その平面部分から開閉カバー内壁部材１０１０側に突き出すように形成されている。空洞部６０１の側面を形成するリブ６１１としては、図９に示すように、開閉カバー内壁部材１０１０側に設けられ、その平面部分から前面開閉カバー１０１側に突き出すように形成する構成としても良い。
【００５１】
〔実施例２〕
次に、本発明を適用した複写機５００の二つ目の実施例（以下、「実施例２」とよぶ）について説明する。
図１０は、実施例２の複写機５００の前面開閉カバー１０１を開放した状態の前面開閉カバー１０１近傍の拡大斜視説明図である。また、図１１は、図１０に示す前面開閉カバー１０１から開閉カバー内壁部材１０１０を取り外した状態の斜視説明図である。
【００５２】
図１に示す実施例１の複写機５００は、前面開閉カバー１０１の内側の面の全体を開閉カバー内壁部材１０１０によって覆う構成である。一方、実施例２の複写機５００は、図１０に示すように、前面開閉カバー１０１の内側の面の一部のみを開閉カバー内壁部材１０１０が覆う構成となっている。また、開閉カバー内壁部材１０１０は、前面開閉カバー１０１を開放したときに上面となる部分の高さが異なる退避部１０１０ａと案内部１０１０ｂとを備える。
【００５３】
図１１に示すように、ヘルムホルツ共鳴器の蓋となる開閉カバー内壁部材１０１０を上げると、前面開閉カバー１０１を補強するリブ６１１の一部がヘルムホルツ共鳴器の空洞部６０１の壁面を構成する空洞部形成リブ６１１ａとなっている。前面開閉カバー１０１の一部をヘルムホルツ共鳴器の一部として用いることで、それぞれ独立した部材によって構成するよりも、省スペース化を図ることができる。
【００５４】
図１２は、図１１に示す前面開閉カバー１０１の空洞部形成リブ６１１ａが設けられた部分の拡大斜視図である。図１２に示すように、リブ６１１の一部である空洞部形成リブ６１１ａはリブ６１１の他の部分よりも前面開閉カバー１０１の平面部分からの高さが高くなっており、ヘルムホルツ共鳴器の空洞部６０１の壁面を兼ねている。
【００５５】
図１３は、図１０に示す状態から着脱部品である廃トナーボトル７０を引き出した状態の複写機５００の斜視説明図であり、図１４は、図１３に示す状態を複写機５００の左側から見た側方断面図である。
実施例２の複写機５００は、前面開閉カバー１０１に直接ヘルムホルツ共鳴器を用いた吸音装置６００を設置でき省スペースになっている。
しかし、前面開閉カバー１０１は消耗品を交換するための各種ユニット等の着脱部品を着脱するときに開放するものである。このため、前面開閉カバー１０１の内側の面に吸音装置６００を設けた構成では、前面開閉カバー１０１を開放して着脱部品を抜き差しするときに、吸音装置６００と着脱部品とが干渉するおそれがある。
そのため、実施例２では、図１０等に示すように、開閉カバー内壁部材１０１０の一部の高さを低くして、着脱部品である廃トナーボトル７０を抜き差しするときに廃トナーボトル７０が通過する領域を避けるようにした退避部１０１０ａを設けている。
【００５６】
図１４に示すように、実施例２の複写機５００は、前面開閉カバー１０１を閉鎖した状態から開放した状態としたときの開放角度βは９０［°］よりも少し大きい。このため、前面開閉カバー１０１を開放した状態では、図１４に示すように、前面開閉カバー１０１の平面部分は水平となる位置よりも自由端側（閉鎖状態での上端側）が下がるように傾いた状態となる。
前面開閉カバー１０１を開放したときの前面開閉カバー１０１の平面部分から退避部１０１０ａの上面までの高さは、前面開閉カバー１０１の根元側（自由端とは反対側のヒンジ側）ほど低くなっている。そして、前面開閉カバー１０１を開放したときには退避部１０１０ａの上面は略水平となる。
【００５７】
退避部１０１０ａを設けることで、開閉カバー内壁部材１０１０が廃トナーボトル７０を抜き差しするときに廃トナーボトル７０が通過する領域内に位置することがなくなり、吸音装置６００と廃トナーボトル７０とが干渉することを防止できる。
【００５８】
また、図１０等に示すように、開閉カバー内壁部材１０１０は、退避部１０１０ａとの境目に段差を形成し、前面開閉カバー１０１を開放したときの上面が前面開閉カバー１０１の平面部分と略平行となる案内部１０１０ｂを備える。退避部１０１０ａと段差を形成する部分の案内部１０１０ｂの側面は、複写機５００の前後方向（図１４中の左右方向）に延在する面となっている。このような案内部１０１０ｂの側面の側面に廃トナーボトル７０の側面をさせながら廃トナーボトル７０を抜き差しすることで、複写機５００の前後方向に沿って廃トナーボトル７０を移動させることができる。このため、作業者が複写機５００に対して廃トナーボトル７０を抜き差しし易くなる。このように、案内部１０１０ｂは廃トナーボトル７０の着脱時に、抜き差し方向をガイドする機能を備えている。
【００５９】
図１５は、実施例２の複写機５００の前面開閉カバー１０１における開閉カバー内壁部材１０１０を設けた位置の拡大斜視図である。図１５に示すように、開閉カバー内壁部材１０１０を設けた部分よりも前面開閉カバー１０１の根元側に形成されたリブ６１１は、前面開閉カバー１０１の先端側ほど高くなる形状となっている。これにより、複写機５００に装着された廃トナーボトル７０を引き出す際に、リブ６１１の先端が廃トナーボトル７０の下面を支持し、廃トナーボトル７０の下面を開閉カバー内壁部材１０１０の退避部１０１０ａの上面まで案内することができる。
【００６０】
複写機５００の前面開閉カバー１０１を閉鎖して図４の状態とすると、実施例２の吸音装置６００は、感光体１０と、現像装置１２等の感光体１０の周辺部材と対向する位置となる。そして、感光体１０の回転音や現像装置１２の駆動音等の外部に漏れ出ることで騒音となるおそれがある音を吸音する。
感光体１０や現像装置１２等の騒音となり得る音の音源の付近に吸音装置６００を設ける構成で、開閉可能な外装カバーである前面開閉カバー１０１に吸音装置６００を配置しようとすると、着脱部品の抜き差しを吸音装置６００が阻害するおそれがある。
【００６１】
これに対して、実施例２の複写機５００では、吸音装置６００を形成する開閉カバー内壁部材１０１０の退避部１０１０ａを設けている。これにより、着脱時に廃トナーボトル７０と吸音装置６００とが干渉することを防止し、廃トナーボトル７０の抜き差しを吸音装置６００が阻害しない構成を実現することができる。
さらに、実施例２の複写機５００が備える開閉カバー内壁部材１０１０では、退避部１０１０ａに対して段差を設けて着脱部品である廃トナーボトル７０の抜き差しを誘導する案内部１０１０ｂを設けている。これにより、作業者が廃トナーボトル７０を着脱するときに、廃トナーボトル７０の抜き差し動作が行い易くなる。
【００６２】
また、実施例２の複写機５００では、前面開閉カバー１０１の一部のみが開閉カバー内壁部材１０１０を備えた二重構造となっているが、少なくともこの二重構造となった部分は前面開閉カバー１０１の強度を向上することができる。
【００６３】
また、実施例２の複写機５００は、前面開閉カバー１０１が前に倒す縦開きタイプの開閉カバーであるからこそ、図１３に示す着脱途中の状態で、着脱部品である廃トナーボトル７０の下面を前面開閉カバー１０１で支持することができる。これにより、開閉カバーで着脱部品を支持することができない観音開きタイプの開閉カバーを備える画像形成装置に比べて、着脱部品の着脱作業時の作業性が向上する。
実施例１に記載の位置決めピン７１と位置決め穴７２とを備える構成は、実施例２にも適用可能である。
【００６４】
実施例２では、退避部１０１０ａによって開閉カバー内壁部材１０１０が干渉を避ける着脱部品が廃トナーボトル７０であったが着脱部品としてはこれに限るものではない。装着時には前面開閉カバー１０１によって覆われる部分の下端部に配置され、前面開閉カバー１０１を開放して着脱を行なう部品であればよい。
【００６５】
前面開閉カバー１０１を開放状態とすることで着脱が可能となる着脱部品と、前面開閉カバー１０１に設けられた吸音装置６００との干渉を避ける方法としては、着脱部品の配置を前面開閉カバー１０１の根元よりも十分に高い位置に配置することが考えられる。
しかし、前面開閉カバー１０１を開放状態として着脱する着脱部品は、前面開閉カバー１０１によって覆われる範囲の下端部に配置された廃トナーボトル７０等の着脱部品だけではない。感光体１０を含む感光体ユニットや現像装置１２等、前面開閉カバー１０１の根元よりも十分に高い位置に配置された着脱部品もある。このため、前面開閉カバー１０１によって覆われる範囲の下端部に配置された着脱部品を前面開閉カバー１０１の根元よりも十分に高い位置に配置するとそれよりも高い位置に配置される着脱部品の配置も高くする必要が生じる。その結果、前面開閉カバー１０１によって覆われる範囲が高さ方向に広くなり、複写機５００の高さ方向への大型化に繋がり望ましくない。
【００６６】
また、着脱部品と、前面開閉カバー１０１に設けられた吸音装置６００との干渉を避ける他の方法としては、９０［°］よりも少し大きい程度の前面開閉カバー１０１の開放角度βを例えば１２０［°］等のより大きい角度とすることが考えられる。
しかし、前面開閉カバー１０１の開放角度βを大きくすると、前面開閉カバー１０１の下方に隣接する外装カバー（記録紙カセット外装カバー６１ａ）と前面開閉カバー１０１との干渉を防ぐため、二つの外装カバーの隙間を広く確保する必要が生じる。この隙間を広くすると、前面開閉カバー１０１を閉鎖して使用するときの外観の悪化に繋がる。
【００６７】
これに対して、実施例２の複写機５００では、前面開閉カバー１０１に設けられた吸音装置６００を形成する開閉カバー内壁部材１０１０に退避部１０１０ａを設け、着脱部品との干渉を防止している。また、開閉カバー内壁部材１０１０に案内部１０１０ｂを設け、前面開閉カバー１０１を開放したときに上面となる前面開閉カバー１０１の内側の面に着脱部品をガイドする形状を形成している。
【００６８】
着脱部品を装着する際に、前面開閉カバー１０１を開放することで画像形成装置の側面に開口した装着位置を狙って装着する場合、着脱部品を持ち上げながら上下左右の位置を合わせる必要があり、困難である。
前面開閉カバー１０１は、開放することにより複写機５００本体に対して突き出した状態となる。そして、この開放状態の前面開閉カバー１０１において上面となる面にガイド形状を有する構成であれば、着脱部品を装着する際には、着脱部品を前面開閉カバー１０１に載せ、その後ガイド形状に沿うように着脱部品を挿入することで容易に装着できる。
【００６９】
図１６は、実施例２の開閉カバー内壁部材１０１０の退避部１０１０ａの上面に廃トナーボトル７０を案内する形状を設けた一例の概略断面図である。
図１６に示す例では、開閉カバー内壁部材１０１０の退避部１０１０ａの上面にガイドリブ９１を設け、廃トナーボトル７０の下面にガイド溝９２を設けている。
【００７０】
図１６に示す例では、ヘルムホルツ共鳴器を形成する開閉カバー内壁部材１０１０の上面に段差を設けて、案内部１０１０ｂの側面で廃トナーボトル７０の抜き差しのガイドを行なう構成に加えて、ガイドリブ９１とガイド溝９２とを備える。ガイドリブ９１とガイド溝９２とを係合させることで、廃トナーボトル７０の抜き差しを行なう際には、ガイドリブ９１及びガイド溝９２の延在方向に沿って廃トナーボトル７０の抜き差しを行なうことができる。
【００７１】
図１６に示すように、着脱部品である廃トナーボトル７０の側面を案内部１０１０ｂの側面に沿うようにガイドする構成に加え、ガイドリブ９１とガイド溝９２とを用いることで、作業者の抜き差し動作のし易さをさらに向上し、操作性を向上することができる。
図１７は、図１６に示す構成に対して、ガイドリブ９１とガイド溝９２との配置を逆にした構成であり、開閉カバー内壁部材１０１０の退避部１０１０ａの上面にガイド溝９２を設け、廃トナーボトル７０の下面にガイドリブ９１を設けている。
図１７に示す構成であっても、図１６に示した構成と同様の効果を得ることができる。
【００７２】
次に、前面開閉カバー１０１の開放角度βと、開閉カバー内壁部材１０１０の退避部１０１０ａの前面開閉カバー１０１に対する傾斜と、の関係について説明する。
図１８は、開放角度βが異なる二種類の複写機５００を模式的に示した側面図であり、図１８（ａ）は開放角度βが９０［°］よりも大きい複写機５００の説明図であり、図１８（ｂ）は開放角度βが９０［°］よりも小さい複写機５００の説明図である。
開放角度βとは、前面開閉カバー１０１を開放し、手を離して前面開閉カバー１０１のが停止したときの前面開閉カバー１０１の内側面と鉛直面との間の角度である。本実施形態の複写機５００では、前面開閉カバー１０１を閉鎖状態としたときの前面開閉カバー１０１の内側面は鉛直面と重なるため、前面開閉カバー１０１が回動可能な角度と開放角度βとが一致する。
【００７３】
図１８（ａ）に示すように、開放角度βが９０［°］よりも大きい場合は、開閉カバー内壁部材１０１０の内側面と、前面開閉カバー１０１の内側面との距離が回転軸側ほど狭くなるように前面開閉カバー１０１に対して開閉カバー内壁部材１０１０を傾斜させる。すなわち、図１８（ａ）に示すように、開放状態としたときに、前面開閉カバー１０１に対する開閉カバー内壁部材１０１０の高さが、前面開閉カバー１０１の複写機本体１００側ほど低く、複写機本体１００から離れるほど高くなるように設定する。これにより、前面開閉カバー１０１を開放状態としたときに、開閉カバー内壁部材１０１０の内側面を水平面に近づけることが可能となる。そして、開閉カバー内壁部材１０１０の内側面を、着脱部品である廃トナーボトル７０の着脱時のガイド部材として機能させることが可能となり、廃トナーボトル７０を図１８中の矢印γで示すように水平方向に抜き差しすることが可能となる。上述した実施例２は、図１８（ａ）に示す構成と同様に開放角度βが９０［°］よりも大きい構成である。
【００７４】
図１８（ｂ）に示すように、開放角度βが９０［°］よりも小さい場合は、開閉カバー内壁部材１０１０の内側面と、前面開閉カバー１０１の内側面との距離が回転軸側ほど広くなるように前面開閉カバー１０１に対して開閉カバー内壁部材１０１０を傾斜させる。すなわち、図１８（ｂ）に示すように、開放状態としたときに、前面開閉カバー１０１に対する開閉カバー内壁部材１０１０の高さが、前面開閉カバー１０１の複写機本体１００側ほど高く、複写機本体１００から離れるほど低くなるように設定する。これにより、前面開閉カバー１０１を開放状態としたときに、開閉カバー内壁部材１０１０の内側面を水平面に近づけることが可能となる。そして、開閉カバー内壁部材１０１０の内側面を、廃トナーボトル７０の着脱時のガイド部材として機能させることが可能となり、廃トナーボトル７０を図１８中の矢印γで示すように水平方向に抜き差しすることが可能となる。
開閉カバー内壁部材１０１０の内側面が廃トナーボトル７０をガイドする形状の組み合わせとしては、図１６及び図１７の何れの形状も適用可能である。
【００７５】
なお、実施例１のように、前面開閉カバー１０１の内側の面の全体を開閉カバー内壁部材１０１０によって覆う構成の場合であっても、その開放角度βによって前面開閉カバー１０１に対して開閉カバー内壁部材１０１０を傾斜させてもよい。これにより、前面開閉カバー１０１を開放したときに露出する開閉カバー内壁部材１０１０の内側面を、水平面に近づけることができ、この内側面に交換ユニットや作業道具などを一時的に載置することが可能となる。
【００７６】
上述した実施形態では、前面開閉カバー１０１の空洞部を形成する部分が二重構造となっている構成について説明したが、前面開閉カバー１０１としては二重構造に限らず、三重構造以上の多重構造であってもよい。
【００７７】
以上に説明したものは一例であり、本発明は、次の態様毎に特有の効果を奏する。
（態様Ａ）
ヘルムホルツ共鳴器を用いた吸音装置６００等の吸音装置と、装置本体に対して開閉自在な前面開閉カバー１０１等の外装開閉カバーと、を有する複写機５００等の画像形成装置において、外装開閉カバーは、その下部側に設けられたヒンジ等の回動軸を中心に回動する開閉カバーであり、少なくともその一部が前面開閉カバー１０１及び開閉カバー内壁部材１０１０等の複数枚の板状部材を重ねた多重構造であり、この多重構造を構成する二枚の板状部材の間の空間をヘルムホルツ共鳴器の空洞部６０１等の空洞部として吸音装置を形成する。
これによれば、上記実施形態について説明したように、複数枚の板状部材を重ねた多重構造とすることで外装開閉カバーの強度の向上を図ることができる。また、多重構造を構成する二枚の板状部材の間の空間をヘルムホルツ共鳴器の空洞部として吸音装置を形成することで、画像形成装置における外装開閉カバーを設けた面から音が漏れ出ることを抑制することができる。
【００７８】
（態様Ｂ）
態様Ａにおいて、多重構造を構成する二枚の板状部材のうち、前面開閉カバー１０１等の外側の板状部材に空洞部６０１等の空洞部の側面を形成するリブ６１１等の壁部を設ける。
これによれば、上記実施例１について説明したように、多重構造を構成する二枚の板状部材の間にヘルムホルツ共鳴器の空洞部を形成する構成を実現することができる。
【００７９】
（態様Ｃ）
態様Ａにおいて、多重構造を構成する二枚の板状部材のうち、開閉カバー内壁部材１０１０等の内側の板状部材に空洞部６０１等の空洞部の側面を形成するリブ６１１等の壁部を設ける。
これによれば、上記実施例１について説明したように、多重構造を構成する二枚の板状部材の間にヘルムホルツ共鳴器の空洞部を形成する構成を実現することができる。
【００８０】
（態様Ｄ）
態様Ａ乃至Ｃの何れかの態様において、装置本体に対する吸音装置６００等の吸音装置の位置決めを行なう位置決めピン７１及び位置決め穴７２等の位置決め手段を備える。
これによれば、上記実施例１について説明したように、音源に対して吸音装置を所望の位置で固定することが可能となり、所望の吸音効果を得ることが可能となる。
【００８１】
（態様Ｅ）
態様Ａ乃至Ｄの何れかの態様において、前面開閉カバー１０１等の外装開閉カバーを開放した状態で装置本体に対して着脱する廃トナーボトル７０等の着脱部品を備え、着脱動作の際に着脱部品が通過する空間を避けるように、多重構造を構成する二枚の板状部材のうちの開閉カバー内壁部材１０１０等の内側の板状部材に、前面開閉カバー１０１等の外側の板状部材との距離を狭めた退避部１０１０ａ等の退避部を設ける。
これによれば、上記実施例２について説明したように、内側の板状部材が着脱部品を抜き差しするときに着脱部品が通過する領域内に位置することがなくなり、吸音装置６００等の吸音装置と着脱部品とが干渉することを防止できる。
【００８２】
（態様Ｆ）
態様Ｅにおいて、多重構造を構成する二枚の板状部材のうちの開閉カバー内壁部材１０１０等の内側の板状部材に、退避部１０１０ａ等の退避部に対して段差を形成し、廃トナーボトル７０等の着脱部品の側面を沿わせることで着脱部品の抜き差し方向を案内する案内部１０１０ｂ等の案内部を設ける。
これによれば、上記実施例２について説明したように、作業者が着脱部品を着脱するときに、着脱部品の抜き差し動作が行い易くなる。
【００８３】
（態様Ｇ）
態様ＥまたはＦの何れかの態様において、退避部１０１０ａ等の退避部の上面にガイドリブ９１等の突起部を設け、廃トナーボトル７０等の着脱部品の下面に突起部と係合し、突起部に対する着脱部品の移動方向を規制するガイド溝９２等の案内溝を設ける。
これによれば、上記実施例２について図１６を用いて説明したように、突起部と案内溝とを用いることで、前面開閉カバー１０１等の外装開閉カバーを開放した状態で、作業者の着脱部品の抜き差し動作のし易さをさらに向上し、操作性を向上することができる。
【００８４】
（態様Ｈ）
態様ＥまたはＦの何れかの態様において、廃トナーボトル７０等の着脱部品の下面にガイドリブ９１等の突起部を設け、退避部１０１０ａ等の退避部の上面に突起部と係合し、装置本体に対する着脱部品の移動方向を規制するガイド溝９２等の案内溝を設ける。
これによれば、上記実施例２について図１７を用いて説明したように、突起部と案内溝とを用いることで、前面開閉カバー１０１等の外装開閉カバーを開放した状態で、作業者の着脱部品の抜き差し動作のし易さをさらに向上し、操作性を向上することができる。
【００８５】
（態様Ｉ）
態様Ａ乃至Ｈの何れかの態様において、外装カバー等の外装開閉カバーの開放角度β等の開放角度が９０［°］よりも大きく、多重構造を構成する複数枚の板状部材のうち、最も外側にある前面開閉カバー１０１等の外側板状部材と最も内側にある開閉カバー内壁部材１０１０等の内側板状部材との距離が外装開閉カバーにおけるヒンジ等の回動軸側ほど狭くなるように、内側板状部材が外側板状部材に対して傾斜している。
これによれば、上記実施形態について図１８（ａ）を用いて説明したように、開放状態のときに内側板状部材の内側面を水平面に近づけることが可能となり、廃トナーボトル７０等の着脱部品を水平方向に抜き差しすることが可能となる。
【００８６】
（態様Ｊ）
態様Ａ乃至Ｈの何れかの態様において、外装カバー等の外装開閉カバーの開放角度β等の開放角度が９０［°］よりも小さく、多重構造を構成する複数枚の板状部材のうち、最も外側にある前面開閉カバー１０１等の外側板状部材と最も内側にある開閉カバー内壁部材１０１０等の内側板状部材との距離が外装開閉カバーにおけるヒンジ等の回動軸側ほど広くなるように、内側板状部材が外側板状部材に対して傾斜している。
これによれば、上記実施形態について図１８（ｂ）を用いて説明したように、開放状態のときに内側板状部材の内側面を水平面に近づけることが可能となり、廃トナーボトル７０等の着脱部品を水平方向に抜き差しすることが可能となる。
【符号の説明】
【００８７】
８  感光体クリーニングブレード
９  除電ランプ
１０  感光体
１１  帯電装置
１２  現像装置
１３  転写ユニット
１４  クリーニング装置
１５  第一ベルト張架ローラ
１６  第二ベルト張架ローラ
１７  転写ベルト
１８  クリーニングブレード
２０  トナー補給装置
２０ａ  ボトルセット穴
２１  レジストローラ対
２２  熱定着装置
３０  加熱ローラ
３２  加圧ローラ
３４  排出分岐爪
３５  排出ローラ
３６  第一加圧ローラ
３７  第二加圧ローラ
３８  コシ付ローラ
３９  排出スタック部
４２  スイッチバック装置
４３  スイッチバックローラ対
４４  スイッチバック位置
４７  レーザー書込装置
４８  ポリゴンミラー
４９  ポリゴンモータ
５３  光源
５４  ミラー
５５  結像用光学レンズ
５６  イメージセンサ
５７  コンタクトガラス
６０  記録紙搬送装置
６１  記録紙カセット
６１ａ  記録紙カセット外装カバー
６２  呼出ローラ
６３  供給ローラ
６４  分離ローラ
６６  記録紙搬送ローラ対
６７  手差しトレイ
６８  手差し給紙部
７０  廃トナーボトル
７１  位置決めピン
７２  位置決め穴
８０  磁石
８１  磁性体
９１  ガイドリブ
９２  ガイド溝
１００  複写機本体
１０１  前面開閉カバー
１０２  前面インナーカバー
１２１  現像ローラ
２００  画像読取装置
３００  記録紙バンク
４００  自動原稿搬送装置
５００  複写機
６００  吸音装置
６０１  空洞部
６０２  開口部
６０３  連通部
６１１  リブ
６１１ａ  空洞部形成リブ
６３０  吸音キャップ部材
６７０  ヘルムホルツ共鳴器
１０１０ｂ  案内部
１０１０ａ  退避部
１０１０  開閉カバー内壁部材
１０１３  取っ手部
Ｂ  転写位置
Ｃ  転写ベルトクリーニング部
Ｐ  記録紙
Ｒ  記録紙搬送路
Ｒ１  供給路
Ｒ２  手差し供給路
Ｒ３  反転路
Ｒ４  再搬送路
【先行技術文献】
【特許文献】
【００８８】
【特許文献１】特開２０００−２３５３９６号公報
【特許文献２】特開２００１−１１７４５１号公報
【特許文献３】特開２０１２−７１６６２号公報
【特許文献４】特開２０１２−８４５８号公報
【特許文献５】特許第３８１６６７８号
【図１】
2016033646.tif 000005
【図２】
2016033646.tif 000006
【図３】
2016033646.tif 000007
【図４】
2016033646.tif 000008
【図５】
2016033646.tif 000009
【図６】
2016033646.tif 000010
【図７】
2016033646.tif 000011
【図８】
2016033646.tif 000012
【図９】
2016033646.tif 000013
【図１０】
2016033646.tif 000014
【図１１】
2016033646.tif 000015
【図１２】
2016033646.tif 000016
【図１３】
2016033646.tif 000017
【図１４】
2016033646.tif 000018
【図１５】
2016033646.tif 000019
【図１６】
2016033646.tif 000020
【図１７】
2016033646.tif 000021
【図１８】
2016033646.tif 000022